(57)【要約】【課題】アカウント・アグリケーションサービスを利用して取得した情報をスケジュール管理にも役立たせることができる情報提供装置及び情報提供プログラムを提供する。【解決手段】情報提供サーバ１０は、利用者３が利用可能な各サイト２にログインするためのそれぞれのアカウント情報を記憶する認証情報記憶部１１と、アカウント情報に従って、各サイトから個人情報をそれぞれ取得するスクレイピング処理部１２と、取得したそれぞれの個人情報を記憶する収集情報記憶部１３と、収集したそれぞれの個人情報をカレンダー上にプロットし、カレンダー形式の個人情報一覧画面を作成し、利用者端末５に表示するように制御する全体制御部１４と、を備える。【選択図】図１
2009223489.tif 000002
【特許請求の範囲】
【請求項１】
通信ネットワークを介して利用者端末にカレンダー形式の情報を提供する情報提供装置であって、
利用者が利用可能な各サイトにログインするためのそれぞれのアカウント情報を記憶する認証情報記憶手段と、
認証情報記憶手段に記憶されたアカウント情報に従って、各サイトから日付と対応づけられた個人情報をそれぞれ取得する情報収集手段と、
前記情報収集手段により取得されたそれぞれの個人情報を記憶する収集情報記憶手段と、
前記収集情報記憶手段に記憶されたそれぞれの個人情報を、個人情報の日付に基づいてカレンダー上にプロットし、カレンダー形式の個人情報一覧画面を作成するカレンダー作成手段と、
前記カレンダー作成手段で作成されたカレンダー形式の個人情報一覧画面を前記利用者端末に表示するカレンダー表示手段と、
を備えることを特徴とする情報提供装置。
【請求項２】
前記個人情報は、複数種類に分類され、
前記カレンダー表示手段は、前記種類ごとに個人情報を色分けして表示することを特徴とする請求項１記載の情報提供装置。
【請求項３】
前記利用者のイベント情報を登録するイベント情報登録手段をさらに備え、
前記イベント情報登録手段で登録されたイベント情報は、前記収集情報記憶手段に記憶され、
前記カレンダー作成手段は、前記収集情報記憶手段に記憶されたそれぞれの個人情報及びイベント情報をカレンダー上にプロットし、カレンダー形式の個人情報一覧画面を作成することを特徴とする請求項１又は２記載の情報提供装置。
【請求項４】
他のカレンダーサービス提供サイトに、前記収集情報記憶手段に記憶された個人情報を出力するエクスポート手段をさらに備えることを特徴とする請求項１乃至３のいずれか１項に記載の情報提供装置。
【請求項５】
他のカレンダーサービス提供サイトから、カレンダー情報を取得して、取得したカレンダー情報を前記収集情報記憶手段に登録するインポート手段をさらに備えることを特徴とする請求項１乃至４のいずれか１項に記載の情報提供装置。
【請求項６】
通信ネットワークを介して利用者端末にカレンダー形式の情報を提供するコンピュータが読み取り可能な情報提供プログラムであって、
前記コンピュータを、
利用者が利用可能な各サイトにログインするためのそれぞれのアカウント情報を記憶する認証情報記憶手段と、
認証情報記憶手段に記憶されたアカウント情報に従って、各サイトから個人情報をそれぞれ取得する情報収集手段と、
前記情報収集手段により取得されたそれぞれの個人情報を記憶する収集情報記憶手段と、
前記収集情報記憶手段に記憶されたそれぞれの個人情報をカレンダー上にプロットし、カレンダー形式の個人情報一覧画面を作成するカレンダー作成手段と、
前記カレンダー作成手段で作成されたカレンダー形式の個人情報一覧画面を前記利用者端末に表示するカレンダー表示手段と、
して機能させることを特徴とする情報提供プログラム。
【発明の詳細な説明】
【技術分野】
【０００１】
本発明は、通信ネットワークを介して情報を提供する情報提供装置及び情報提供プログラムに関し、特に、アカウント・アグリケーションを利用して、情報を提供する情報提供装置及び情報提供プログラムに関する。
【背景技術】
【０００２】
インターネット上の様々なウェブサイトから当該利用者の複数の口座情報を集めて、当該複数の口座情報を利用者端末に閲覧可能に表示するサービス、すなわち、アカウント・アグリケーションサービスが実現している。個人が複数の金融機関と取引を行っている場合には、従来においては、金融機関ごとにＩＤ、パスワードを保有・管理し、アクセスするたびに入力が求められるという煩雑さがあったが、このアカウント・アグリケーションサービスの実現により、この煩雑さが解消され、ユーザの利便性を向上させている。
【０００３】
なお、アカウント・アグリケーションに関する技術に関しては、以下の文献が存在する。
【０００４】
【特許文献１】特開２００２−２８８１２８号公報
【特許文献２】特開２００４−２３４２３９号公報
【発明の開示】
【発明が解決しようとする課題】
【０００５】
アカウント・アグリケーションにおいては、複数の金融機関の各情報が一覧表示されるので、ユーザの見たい情報の全体像を容易に把握することができるというメリットがある。
【０００６】
しかしながら、このようなアカウント・アグリケーションサービスで提供される情報を単なる金融情報として把握するのではなく、日々のスケジュール管理に利用できるとさらに便利である。
【０００７】
本発明は上記の事情を鑑みてなされたものであり、アカウント・アグリケーションサービスを利用して取得した情報をスケジュール管理に役立たせることができる情報提供装置及び情報提供プログラムを提供することを目的とする。
【課題を解決するための手段】
【０００８】
上記目的を達成するため、請求項１記載の本発明は、通信ネットワークを介して利用者端末にカレンダー形式の情報を提供する情報提供装置であって、利用者が利用可能な各サイトにログインするためのそれぞれのアカウント情報を記憶する認証情報記憶手段と、認証情報記憶手段に記憶されたアカウント情報に従って、各サイトから日付と対応づけられた個人情報をそれぞれ取得する情報収集手段と、前記情報収集手段により取得されたそれぞれの個人情報を記憶する収集情報記憶手段と、前記収集情報記憶手段に記憶されたそれぞれの個人情報を、個人情報の日付に基づいてカレンダー上にプロットし、カレンダー形式の個人情報一覧画面を作成するカレンダー作成手段と、前記カレンダー作成手段で作成されたカレンダー形式の個人情報一覧画面を前記利用者端末に表示するカレンダー表示手段と、を備えることを特徴とする。
【０００９】
また、請求項２記載の本発明は、請求項１記載の発明において、前記個人情報は、複数種類に分類され、前記カレンダー表示手段は、前記種類ごとに個人情報を色分けして表示することを特徴とする。
【００１０】
また、請求項３記載の本発明は、請求項１又は２記載の発明において、前記利用者のイベント情報を登録するイベント情報登録手段をさらに備え、前記イベント情報登録手段で登録されたイベント情報は、前記収集情報記憶手段に記憶され、前記カレンダー作成手段は、前記収集情報記憶手段に記憶されたそれぞれの個人情報及びイベント情報をカレンダー上にプロットし、カレンダー形式の個人情報一覧画面を作成することを特徴とする。
【００１１】
また、請求４記載の本発明は、請求項１乃至３のいずれか１項に記載の発明において、他のカレンダーサービス提供サイトに、前記収集情報記憶手段に記憶された個人情報を出力するエクスポート手段をさらに備えることを特徴とする。
【００１２】
また、請求項５記載の本発明は、請求項１乃至４のいずれか１項に記載の発明において、他のカレンダーサービス提供サイトから、カレンダー情報を取得して、取得したカレンダー情報を前記収集情報記憶手段に登録するインポート手段をさらに備えることを特徴とする。
【００１３】
また、請求項６記載の本発明は、通信ネットワークを介して利用者端末にカレンダー形式の情報を提供するコンピュータが読み取り可能な情報提供プログラムであって、前記コンピュータを、利用者が利用可能な各サイトにログインするためのそれぞれのアカウント情報を記憶する認証情報記憶手段と、認証情報記憶手段に記憶されたアカウント情報に従って、各サイトから個人情報をそれぞれ取得する情報収集手段と、前記情報収集手段により取得されたそれぞれの個人情報を記憶する収集情報記憶手段と、前記収集情報記憶手段に記憶されたそれぞれの個人情報をカレンダー上にプロットし、カレンダー形式の個人情報一覧画面を作成するカレンダー作成手段と、前記カレンダー作成手段で作成されたカレンダー形式の個人情報一覧画面を前記利用者端末に表示するカレンダー表示手段と、して機能させることを特徴とする。
【発明の効果】
【００１４】
本発明によれば、アカウント・アグリケーションサービスを利用して取得した情報をスケジュール管理に役立たせることができる。
【発明を実施するための最良の形態】
【００１５】
以下、本発明の実施の形態を図面を用いて説明する。
【００１６】
＜構成＞
図１は、本発明の実施の形態に係る情報提供システム１００の概略構成図である。情報提供システム１００は、情報提供サイト１が、アカウント・アグリケーションを利用して、利用者３が閲覧できる個人情報（銀行、証券など各金融機関における入出金明細情報、クレジットカード会社における引き落とし明細情報やカード利用明細情報、公共サービス会社における支払明細情報など）を各サイト群２から取得して、取得した個人情報をカレンダー形式に編集し、編集したカレンダー情報を利用者３に提供するシステムである。以下、情報提供サイト１がカレンダー情報を利用者３に提供するこのサービスをカレンダー提供サービスとも称する。情報提供システム１００は、カレンダー情報を利用者３に提供する情報提供サーバ１０、利用者３が用いる利用者端末５、並びに情報提供サーバ１０、利用者端末５及びサイト群２をそれぞれ相互に通信可能とする、例えば、インターネット網などからなる通信ネットワーク４を備える構成である。
【００１７】
情報提供サーバ１０は、認証情報記憶部１１、スクレイピング処理部１２、収集情報記憶部１３、全体制御部１４、及び送受信制御部１５を備えている。
【００１８】
認証情報記憶部１１は、利用者３がサービスを受けている各サイト２のアカウント情報を認証情報ｄ１０として記憶している。図２（ａ）に認証情報ｄ１０のデータ構成の一例を示す。図２（ａ）に示すように、認証情報ｄ１０は、カレンダー提供サービスを利用するための利用者ＩＤ及びパスワードと、利用者３が利用可能な各サイトのＩＤ及びパスワードと、対応付けたデータとして構成されている。なお、認証情報ｄ１０は、利用者３の属性情報や、各サイト２にアクセスするためのアクセス情報（ＵＲＬ情報、スクレイピング対象となる個人情報）なども備えている。利用者３が各サイト２から発行されたＩＤ及びパスワードを情報提供サーバ１０に通知することにより、認証情報ｄ１０が作成されることとなる。
【００１９】
スクレイピング処理部１２は、認証情報記憶部１１に記憶された認証情報ｄ１１を用いて、定期的又は指示された時期に各サイト２にアクセスし、必要な個人情報を取得するようになっている。例えば、銀行のサイト２ａであるならば、利用者３の預金明細に関する情報（ＡＴＭ引き出し情報［日、金額］や引き落とし情報［日、金額］など）を取得するようになっている。また、スクレイピング処理部１３は、取得した個人情報を収集情報ｄ２０として収集情報記憶部１３に記憶するようになっている。図２（ｂ）に収集情報ｄ２０のデータ構成の一例を示す。図２（ｂ）に示すように、収集情報ｄ２０は、利用者ＩＤと、各サイトから収集した個人情報（サイト別収集情報という）と、イベント情報で構成されており、利用者３が閲覧可能なサイト２の個人情報はすべてサイト別収集情報として、収集情報記憶部１３に蓄積される。例えば、銀行のサイト２ａのサイトからのサイト別収集情報としては、利用者３の預金明細に関する情報（ＡＴＭ引き出し情報［日、金額］や引き落とし情報［日、金額］）が時系列に蓄積されていく。なお、イベント情報は利用者３自身の登録によるスケジュール情報である。すなわち、サイト別収集情報及びイベント情報は、日付と対応づけられた個人情報であり、後述するカレンダーに表示するための情報となっている。
【００２０】
全体制御部１４は、情報提供サーバ１０のすべての動作を統括的に制御している。具体的には、ＣＰＵ及びメモリ等から構成され、認証情報記憶部１１や収集情報記憶部１３の制御や、各種データの転送、種々の演算、データの一時的な格納等を行うことにより、後述する各種処理を実行させるようになっている。例えば、カレンダー作成・表示機能ｆ１に基づいて、後述するカレンダー表示処理を実行するようになっている。
【００２１】
なお、本実施の形態に係る各種処理を実行するプログラムは、前述したメモリ（主記憶装置）やハードディスクなどの補助記憶装置に格納されているものである。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００２２】
送受信制御部１５は、通信ネットワーク４を介した利用者端末５とのデータ送受信を制御するようになっており、作成したカレンダー情報を利用者端末５に送信したり、利用者端末５から操作指示やイベント情報を受信したりするようになっている。具体的には、利用者端末２ｉとＷｅｂや電子メールを活用した情報授受ができるようになっている。
【００２３】
なお、上述した情報提供サーバ１０は、物理的に一つからなる装置の他、複数の装置がネットワーク接続されたシステムなどのいずれの構成であってもよい。本実施形態では、具体的には、認証情報記憶部１１や収集情報記憶部１３は、データベースサーバとして、送受信制御部１５はＷｅｂサーバとして、スクレイピング処理部１３はスクレイピング処理サーバとして、また、全体制御部１５は、アプリケーションサーバとして構築されている。また、個人情報を閲覧できるサイト群２と情報提供サイト１は別のサイトであってもよいし、個人情報を閲覧できるサイト群２の一つが情報提供サイト１として機能してもよい。
【００２４】
利用者端末５は、例えば、具体的には、ＰＣ（携帯情報端末、携帯電話端末などを含む）などが想定され、利用者端末５には、ブラウザソフト及び電子メールソフトがインストールされており、このブラウザ機能及び電子メール機能により、情報提供サーバ１０及びサイト群２と情報のやりとりを行うことができるようになっている。
【００２５】
＜動作＞
次に、図３及び図４を用いて、本実施の形態に係る情報提供システム１００の動作について説明する。ここで、図３は、スクレイピング処理、及びカレンダー表示処理の流れを示すシーケンス図、図４は、他のカレンダーからのインポート処理、及び他のカレンダーへのエクスポート処理の流れを示すシーケンス図である。
【００２６】
まず、図３を参照して、スクレイピング処理について説明する。
【００２７】
情報提供サーバ１０は、認証情報記憶部１１に記憶された認証情報ｄ１０を参照して、利用者ＩＤごとに、各サイト２にアクセスするためのアクセス情報、並びにログインするためのＩＤ及びパスワードを取得し（ステップＳ１０）、各サイト２にアクセスして、ログインし（ステップＳ２０）、個人情報を取得する（ステップＳ３０）。
【００２８】
次いで、情報提供サーバ１０は、取得した個人情報を収集情報ｄ２０として収集情報記憶部１３に登録する（ステップＳ４０）。なお、スクレイピング処理は、定期的に実行されるのが望ましく、また、サイト２ごとにスクレイピング処理を実行する時間帯を個別に設けるようにしてもよい。
【００２９】
次に、図３を参照して、カレンダー表示処理について説明する。
【００３０】
利用者３が利用者端末５を用いて、情報提供サーバ１０にアクセスし、利用者ＩＤ及びパスワードを入力し、ログインする（ステップＳ５０）。情報提供サーバ１０は、利用者ＩＤ及びパスワードを受け取ると（ステップＳ６０）、利用者ＩＤに基づいて収集情報記憶部１３を参照し、該当する利用者３の収集情報ｄ２０を取得する（ステップＳ７０）。
【００３１】
次いで、情報提供サーバ１０は、取得した情報ｄ２０をカレンダー形式に編集して（それぞれの個人情報をカレンダーの該当日にプロットする）、カレンダー情報を作成し（ステップＳ８０）、作成したカレンダー情報を利用者端末５に出力する（ステップＳ９０）。
【００３２】
利用者端末５は、カレンダー情報を受け取ると、カレンダーを表示する（ステップＳ１００）。図５にカレンダー画面を示す。
【００３３】
図５に示すカレンダー画面２０は、月単位のカレンダーを表示する画面であり、当月のカレンダーがデフォルトで表示される。勿論、当月以外の指定も矢印ボタン２１を操作することで可能である。また、当日の日付枠２２（具体的には、２００７年９月４日）は着色されて表示される。
【００３４】
そして、このようなカレンダー画面２０のそれぞれの日にちに、アカウント・アグリケーションで取得した個人情報が表示されることとなる。例えば、日付枠２３（具体的には、２００７年９月１２日）には、「ＡＴＭ引出」「レストラン」「電気」という３つの個人情報が表示されている。本実施形態では、表示される個人情報を３種類に分類し、異なる色で表示するようにしている。１つは、銀行系に関する個人情報であり、入出金情報（例えば、「ＡＴＭ引出」）が表示される。別の１つは、カード系に関する情報であり、カードによる引き落とし情報（例えば、「カード支払い」）やカードの利用情報（例えば、「レストラン」など）が表示される。残りの１つは、公共サービス系に関する個人情報であり、電気、ガス、水道、電話などの支払い情報（例えば、「電気」）が表示される。このように本実施形態では、アカウント・アグリケーションで取得した個人情報を３種類に大別して、表示するので、利用者３は視覚的に個人情報を識別しやすくなっている。なお、本実施形態では、個人情報を３種類に大別して、表示しているが、個人情報の分類はこれに限定されず、４種類以上に分類してもよい。
【００３５】
なお、より詳細に個人情報を見たい場合、例えば、金額や内容などを見たい場合には、見たい日の日付枠２４（具体的には、２００７年９月１７日）をロールオーバーすればよい。ロールオーバーすることにより、詳細情報２５がポップアップ表示される。これにより、利用者３は、所望の日の詳細な個人情報を簡単に見ることができる。なお、詳細情報２５に表示された「飲み会  １９：００  ○○プロジェクト打ち上げ」は利用者３が登録したイベント情報である。本実施形態では、アカウント・アグリケーションで取得した個人情報だけでなく、利用者３が登録したイベント情報も表示可能となっている。図６にイベント情報を登録するイベント登録画面３０を示す。
【００３６】
図６に示すイベント登録画面３０は、カレンダー画面２０において、該当日付の日付枠（具体的には、２００７年９月１１日）をクリックすると、カレンダー画面２０上にポップアップ表示されるようになっている。そして、イベントのタイトル３１、時間３２、及び内容３３を入力して登録ボタン３４を押下することにより、１つのイベント情報が登録される。なお、イベント情報を修正する場合には、カレンダー画面２０又は詳細画面２５で表示されたイベントをクリックすることにより、イベント登録画面３０が表示されるので、これにより表示された内容を修正すればよい。
【００３７】
次に、図４を参照して、エクスポート処理について説明する。
【００３８】
本実施の形態のカレンダー提供サービスでは、他のカレンダーサービス提供サイト２ｉに対して、カレンダー情報をエクスポートすることができるようになっている。
【００３９】
まず、利用者３が利用者端末５において、カレンダー画面２０を表示しているときに（図５参照）、他カレンダーへのエクスポート指示を行う（ステップＳ１１０）。具体的には、図５に示すように、他カレンダー連係機能２６の反映ボタン２８を操作して、エクスポート指示を行う。
【００４０】
エクスポート指示を受けた情報提供サーバ１０は、収集情報記憶部１３から該当利用者のカレンダー情報を取得するとともに（ステップＳ１２０）、認証情報記憶部１１からエクスポートするカレンダーサービス提供サイト２ｉのＩＤ及びパスワードを取得して（ステップＳ１３０）、カレンダーサービス提供サイト２ｉにログインする（ステップＳ１４０）。
【００４１】
次いで、情報提供サーバ１０は、ログインしたカレンダーサービス提供サイト２ｉのカレンダー情報に、自サイトで管理しているカレンダー情報を反映する処理を行う（ステップＳ１５０）。なお、エクスポート処理においては、自サイトで管理しているカレンダー情報のすべてではなく、一部のカレンダー情報（例えば、イベント情報）だけをエクスポートするようにしてもよい。
【００４２】
次に、図４を参照して、インポート処理について説明する。
【００４３】
本実施の形態のカレンダー提供サービスでは、他のカレンダーサービス提供サイト２ｉから、カレンダー情報をインポートすることができるようになっている。
【００４４】
まず、利用者３が利用者端末５において、カレンダー画面２０を表示しているときに（図５参照）、他カレンダーからのインポート指示を行う（ステップＳ１６０）。具体的には、図５に示すように、他カレンダー連係機能２６の読み込みボタン２７を操作して、インポート指示を行う。
【００４５】
インポート指示を受けた情報提供サーバ１０は、認証情報記憶部１１からインポートするカレンダーサービス提供サイト２ｉのＩＤ及びパスワードを取得して（ステップＳ１７０）、カレンダーサービス提供サイト２ｉにログインする（ステップＳ１８０）。
【００４６】
次いで、情報提供サーバ１０は、ログインしたカレンダーサービス提供サイト２ｉのカレンダー情報を取得して（ステップＳ１９０）、取得したカレンダー情報を収集情報ｄ２０として収集情報記憶部１３に登録する（ステップＳ２００）。
【００４７】
また、情報提供サーバ１０は、カレンダーサービス提供サイト２ｉから取得したカレンダー情報をマージしたカレンダー情報を作成して（ステップＳ２１０）、作成したカレンダー情報を利用者端末５に出力する（ステップＳ２２０）。
【００４８】
利用者端末５は、カレンダー情報を受け取ると、カレンダーを表示する（ステップＳ２３０）。このカレンダーは、自サイトで管理しているカレンダー情報と、カレンダーサービス提供サイト２ｉから取得したカレンダー情報と、がマージされたカレンダーとなっている。なお、カレンダーサービス提供サイト２ｉから取得したカレンダー情報は、自サイトで管理しているカレンダー情報と識別できるように異なった色で表示される。
【００４９】
以上述べたように、本実施形態の情報提供システム１００によれば、アカウント・アグリケーションサービスを利用して取得した個人情報をカレンダー形式に編集して（それぞれの個人情報をカレンダーの該当日にプロットする）、カレンダー情報を作成し、利用者３に提供するので、アカウント・アグリケーションサービスを利用して取得した個人情報をスケジュール管理に役立たせることができる。
【００５０】
すなわち、利用者３は、銀行の入出金情報、カードの引き落とし情報や利用情報、公共機関の支払い情報などの個人情報をカレンダーに登録しなくても、情報提供サーバ１が自動的にこれらの個人情報をカレンダー上に表示してくれるので、手間をかけることなく、簡単にスケジュール管理することができる。
【００５１】
また、本実施形態の情報提供システム１００によれば、イベント情報の登録も可能なので、アカウント・アグリケーションサービスにより取得した個人情報に加えて、利用者３のスケジュール情報も一覧性を持って表示させることができる。
【００５２】
また、他のカレンダーサービス提供サイト２ｉとも連携がとれており、他のカレンダーサービス提供サイト２ｉへのエクスポート処理や他のカレンダーサービス提供サイト２ｉからのインポート処理が可能なので、他のカレンダーとの整合性を容易にとることができ、柔軟にスケジュール管理ができる。
【００５３】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【００５４】
【図１】本発明の実施形態に係る情報提供システムの概略構成図である。
【図２】本発明の実施形態に係る情報提供システムにおける認証情報及び収集情報のデータ構成例を示す図である。
【図３】本発明の実施形態に係る情報提供システムのスクレイピング処理及びカレンダー表示処理の流れを示すフローチャートである。
【図４】本発明の実施形態に係る情報提供システムにおけるカレンダー表示画面を示す図である。
【図５】本発明の実施形態に係る情報提供システムにおけるイベント情報登録画面を示す図である。
【図６】本発明の実施形態に係る情報提供システムのエクスポート処理及びインポート処理の流れを示すフローチャートである。
【符号の説明】
【００５５】
１  情報提供サーバ
２  サイト群
３  利用者
４  通信ネットワーク
５  利用者端末
１０  情報提供サーバ
１１  認証情報記憶部
１２  スクレイピング処理部
１３  収集情報記憶部
１４  全体制御部
１５  送受信制御部
１００  情報提供システム
ｆ１  カレンダー機能
ｄ１０  認証情報
ｄ２０  収集情報
【図１】
2009223489.tif 000003
【図２】
2009223489.tif 000004
【図３】
2009223489.tif 000005
【図４】
2009223489.tif 000006
【図５】
2009223489.tif 000007
【図６】
2009223489.tif 000008